(57)【特許請求の範囲】
【請求項１】
必須成分として染料、水、及び下記一般式で表されるポリオキシエチレンアルキルエーテルを含んでなるボールペン用水性インキ。
一般式
【化１】
0003569812.tif 000005
（式中、Ｒは炭素数１６乃至１８のアルキル基であり、ｎは３以上の数を表す。）
【発明の詳細な説明】
【０００１】
【産業上の利用分野】
本発明はボールペン用水性インキに関する。更に詳細には、インキ出を円滑にして、かすれや線切れのない良好な筆跡を得ると共に、ボールとボール抱持部の磨耗を減少させることによって、滑らかな筆感を得るためのボールペン用水性インキに関する。
【０００２】
【従来の技術】
従来よりボールペン用水性インキは、低粘性に依存して、一般的にボールペン用油性インキよりも弱い筆圧で然も滑らかな筆記が可能である。しかしながら、インキ自体が潤滑性に乏しく、ボール抱持部の磨耗を起こさせがちである。
一般にボールとボール抱持部の磨耗に関しては、種々の潤滑剤を添加することによって解消することが可能であるが、それに伴って染料の可溶化を妨げたり、粘度上昇によって筆跡のかすれや線切れ等を起こす欠点を有していた。
【０００３】
【発明が解決しようとする課題】
本発明ボールペン用水性インキは、前記した如き従来のボールペン用水性インキの不具合を解消するものである。即ち、インキ出がよく、然もボールとボール抱持部の磨耗が少なく、滑らかな筆記が可能であると共に、筆跡の滲みがなく、その他の筆記性能を満足させるボールペン用水性インキを提供することにある。
【０００４】
【課題を解決するための手段】
本発明ボールペン用水性インキは、必須成分として染料、水、及び下記一般式で表されるポリオキシエチレンアルキルエーテルを含んでなる。
一般式
【化１】
（式中、Ｒは炭素数１６乃至１８のアルキル基であり、ｎは３以上の数を表す。）
【０００５】
前記ポリオキシエチレンアルキルエーテルは、ｎが２以下であると、水或いは水溶性有機溶剤に溶解し難くなる。一方、ｎが大きくなるにつれて増粘化するので、低粘性インキの系ではｎが７乃至１４の数であることが好ましい。
又、Ｒは１６乃至１８のアルキル基であることにより、ボールペン用水性インキに好適な粘度と潤滑性を有する。
【０００６】
前記したポリオキシエチレンアルキルエーテルは、インキ組成中０．０１〜１０重量％、好ましくは０．０５〜３重量％の割合で添加することができる。
０．０１重量％以下では所望の潤滑性を得ることは困難であり、又、１０重量％以上ではインキの増粘によって、インキ出が悪く、筆記し難くなる。
【０００７】
前記染料として、酸性染料、塩基性染料、直接染料等を使用することができる。
酸性染料としては、
ニューコクシン（Ｃ．Ｉ．１６２５５）、
タートラジン（Ｃ．Ｉ．１９１４０）、
アシッドブルーブラック１０Ｂ（Ｃ．Ｉ．２０４７０）、
ギニアグリーン（Ｃ．Ｉ．４２０８５）、
ブリリアントブルーＦＣＦ（Ｃ．Ｉ．４２０９０）、
アシッドバイオレット６Ｂ（Ｃ．Ｉ．４２５３５）、
ソルブルブルー（Ｃ．Ｉ．４２７５５）、
ナフタレングリーン（Ｃ．Ｉ．４４０２５）、
エオシン（Ｃ．Ｉ．４５３８０）、
フロキシン（Ｃ．Ｉ．４５４１０）、
エリスロシン（Ｃ．Ｉ．４５４３０）、
ニグロシン（Ｃ．Ｉ．５０４２０）、
アシッドフラビン（Ｃ．Ｉ．５６２０５）等が用いられる。
【０００８】
塩基性染料としては、
クリソイジン（Ｃ．Ｉ．１１２７０）、
メチルバイオレットＦＮ（Ｃ．Ｉ．４２５３５）、
クリスタルバイオレット（Ｃ．Ｉ．４２５５５）、
マラカイトグリーン（Ｃ．Ｉ．４２０００）、
ビクトリアブルーＦＢ（Ｃ．Ｉ．４４０４５）、
ローダミンＢ（Ｃ．Ｉ．４５１７０）、
アクリジンオレンジＮＳ（Ｃ．Ｉ．４６００５）、
メチレンブルーＢ（Ｃ．Ｉ．５２０１５）等が用いられる。
【０００９】
直接染料としては、
コンゴーレッド（Ｃ．Ｉ．２２１２０）
ダイレクトスカイブルー５Ｂ（Ｃ．Ｉ．２４４００）
バイオレットＢＢ（Ｃ．Ｉ．２７９０５）
ダイレクトディープブラックＥＸ（Ｃ．Ｉ．３０２３５）
カヤラスブラックＧコンク（Ｃ．Ｉ．３５２２５）
ダイレクトファストブラックＧ（Ｃ．Ｉ．３５２５５）
フタロシアニンブルー（Ｃ．Ｉ．７４１８０）等が用いられる。
【００１０】
これらの染料は一種又は二種以上を適宜混合して使用することができ、インキ組成中１乃至２５重量％、好ましくは２乃至１５重量％の範囲で用いられる。
【００１１】
又、水溶性有機溶剤として、エタノール、プロパノール、ブタノール等のアルコール、エチレングリコール、プロピレングリコール、ジエチレングリコール等のグリコール、グリセリン、ソルビトール等の多価アルコール、エチレングリコールモノメチルエーテル、エチレングリコールモノエチルエーテル等のエチレングリコールモノアルキルエーテル、ジエチレングリコールモノメチルエーテル、ジエチレングリコールモノエチルエーテル等のジエチレングリコールモノアルキルエーテル等の１種又は２種以上をインキの乾燥抑制や染料の溶解助剤として用いることができ、インキ組成中５乃至３０重量％の範囲で用いられる。
又、必要に応じて、防腐剤、防錆剤、消泡剤等を添加することもできる。
【００１２】
又、樹脂として、水溶性のアルキッド樹脂、アクリル樹脂、スチレンマレイン酸共重合物、セルローズ誘導体、ポリビニルピロリドン、ポリビニルアルコール、デキストリン等の１種又は２種以上を紙面への固着性や粘性付与のために用いることができ、インキ組成中１乃至３０重量％の範囲で用いられる。
【００１２】
【作用】
前記ポリオキシエチレンアルキルエーテルをボールペン用水性インキに添加することにより、インキ出が向上し、しかも潤滑効果により、ボールとボール抱持部の磨耗は減少する。又、なめらかな筆感が得られる。
【００１３】
【実施例】
実施例１乃至８及び比較例１乃至５で作成したインキ組成を表１に示す。
【表１】
0003569812.tif 000002
尚、表中の配合を示す数値は重量％を示す。
【００１４】
表中の原料の内容を注番号に沿って説明する。
（１）  フロキシン〔アイゼン（株）製、Ｃ．Ｉ．Ａｃｉｄ  Ｒｅｄ９２、Ｃ．Ｉ．４５４１０〕
（２）  タートラジン〔保土谷化学工業（株）製、Ｃ．Ｉ．Ａｃｉｄ  Ｙｅｌｌｏｗ２３、Ｃ．Ｉ．１９１４０〕
（３）  ブリリアントブルーＦＣＦ〔アイゼン（株）製、Ｃ．Ｉ．Ａｃｉｄ  Ｂｌｕｅ９、Ｃ．Ｉ．４２０９０〕
（４）  ローダミンＢ〔田岡科学工業（株）製、Ｃ．Ｉ．Ｂａｓｉｃ  Ｖｉｏｌｅｔ１０、Ｃ．Ｉ．４５１７０〕
（５）  ウォーターブラック１００〔オリエント化学工業（株）製、Ｃ．Ｉ．Ｄｉｒｅｃｔ  Ｂｌａｃｋ１９、Ｃ．Ｉ．３５２５５〕
（６）Ｃ１８Ｈ３７Ｏ（ＣＨ２  ＣＨ２  Ｏ）４  Ｈ〔三洋化成工業（株）製〕
（７）Ｃ１８Ｈ３７Ｏ（ＣＨ２  ＣＨ２  Ｏ）７  Ｈ〔三洋化成工業（株）製〕
（８）Ｃ１６Ｈ３３Ｏ（ＣＨ２  ＣＨ２  Ｏ）１４Ｈ〔三洋化成工業（株）製〕
【００１５】
表１で表した配合物を６０℃で加温しながら、１時間ミキサーにて攪拌した後、冷却して濾過することにより、本発明ボールペン用水性インキが得られる。
【００１６】
実施例１及び比較例１の揺変性を有するインキを、先端部にボールペンチップ（直径０．５ｍｍ、内径０．３２ｍｍのステンレススチール製パイプに直径０．３ｍｍの超硬合金製ボールを回動自在に抱持してなるチップ）を装着したインキ収容管に充填した後、インキの後端にインキ逆流防止剤を充填してボールペンとした。尚、前記インキ収容管はポリプロピレン製のパイプであり、前記インキ逆流防止剤はポリブテンよりなる組成物である。
【００１７】
実施例２乃至８及び比較例２乃至５のインキを、直径０．５ｍｍの超硬合金製ボールが、切削加工によりボール受け座を形成したステンレススチール製チップに抱持された筆記先端部を有し、前記筆記先端部の後部には、櫛溝状のインキ調節部材を備えるタイプのボールペンに直接内蔵した。
【００１８】
前記実施例及び比較例のインキを内蔵したボールペンで、紙面上に筆記して、インキ消費量、ボール沈み量、及び筆感を測定した。
その結果を表２及び表３に示す。
【表２】
0003569812.tif 000003
【表３】
0003569812.tif 000004
尚、表中のインキ消費量の測定に関しては、自動筆記試験機で５００ｍ筆記した後、そのインキ消費量を算出した。
ボール沈み量に関しても同様に、自動筆記試験機で５００ｍ筆記した後、ボールとボール抱持部の磨耗寸法を測定して求めた。
ここで、自動筆記試験機での筆記条件は、筆記速度４ｍ／分、筆記荷重１００ｇ、筆記角度７０°である。
筆感についての判定結果は以下の通り。
◎：なめらかに筆記でき、かすれや線切れもない
○：若干なめらかな筆感に欠けるが、かすれや線切れはなく、通常の筆記は問題ない。
△：筆感はなめらかでなく、若干かすれや線切れが起こる。
×：筆感はなめらかでなく、かすれや線切れが起こる。
【００１９】
【発明の効果】
前記インキ消費量、ボール沈み量及び筆感テストの結果より、本発明のボールペン用水性インキは紙面に筆記した際、インキ出が良く、かすれや線切れがないことは勿論、潤滑効果に優れ、滑らかな筆感を得ることのできるボールペン用水性インキを提供することができる。